(57)【要約】【課題】  充電装置の発熱によって充電中の携帯端末装置に対して悪影響を与えないように動作する充電装置を提供する。【解決手段】  電源部１から供給される充電電流Ｉを二次電池３に出力する充電回路２と、充電回路２を制御する充電制御回路４と、を備える。また、充電制御回路４は、充電電流Ｉの電流値を検出する充電電流検出回路５と、電源部１から充電回路２に供給される電圧と二次電池３の電圧との電圧差を検出する充電電圧検出回路６と、充電電流Ｉの電流値と前記電圧差とから充電回路２における消費電力を算出する電力算出回路７と、消費電力と所定の値とを比較して比較結果から補正量を求め、補正量に基づき充電回路２の制御を行う充電電流制御回路８と、を備える。充電制御回路４は、補正量に基づき充電回路２の制御を行うことで充電回路２における消費電力を一定値以下に保持するように動作する。【選択図】  図１
2005278302.tif 000002
【特許請求の範囲】
【請求項１】
電源部から供給される充電電流を二次電池に出力する充電回路と、
前記充電回路を制御する充電制御回路と、
を備える充電装置において、
前記充電制御回路は、前記充電回路における消費電力を一定値以下に保持するように制御することを特徴とする充電装置。
【請求項２】
電源部から供給される充電電流を二次電池に出力する充電回路と、
前記充電回路を制御する充電制御回路と、
を備える充電装置において、
前記充電制御回路は、
前記充電電流の電流値を検出する充電電流検出回路と、
前記電源部から前記充電回路に供給される電圧と前記二次電池の電圧との電圧差を検出する充電電圧検出回路と、
前記電流値と前記電圧差とから前記充電回路における消費電力を算出する電力算出回路と、
前記消費電力と所定の値とを比較して比較結果から補正量を求め、前記補正量に基づき前記充電制御回路における前記充電回路の制御を行う充電電流制御回路と、
を備えることを特徴とする充電装置。
【請求項３】
前記充電電流制御回路は、前記消費電力を一定値以下に保持するように前記充電回路の制御を行うことを特徴とする請求項２記載の充電装置。
【請求項４】
前記所定の値をプログラマブルに設定する手段を備え、前記所定の値によって前記一定値がプログラマブルに設定されることを特徴とする請求項３記載の充電装置。
【請求項５】
前記二次電池は、携帯端末装置に装着した電池パックであって、前記携帯端末装置を近接させた状態で前記電池パックを充電することを特徴とする請求項１〜４のいずれか一に記載の充電装置。
【請求項６】
充電装置が電池パックを充電する方法であって、
前記電池パックの端子電圧が第１の閾値に満たない場合に、第１の電流値で定電流充電するステップと、
前記電池パックの端子電圧が前記第１の閾値に達した場合に、前記充電装置における消費電力を一定値以下に保って充電するステップと、
前記電池パックの端子電圧が第２の閾値に達した場合に定電圧充電するステップと、
を含むことを特徴とする充電方法。
【請求項７】
前記消費電力を一定値以下に保って充電するステップにおいて、充電電流が第３の閾値に達した場合に、第２の電流値で定電流充電するステップをさらに含むことを特徴とする請求項６記載の充電方法。
【請求項８】
前記消費電力を一定値以下に保って充電するステップは、前記充電装置における充電中の消費電力と所定の値とを比較して比較結果から補正量を求め、前記補正量に基づき前記充電電流を変更することを特徴とする請求項６記載の充電方法。
【請求項９】
前記一定値は、プログラマブルに設定されることを特徴とする請求項６〜８のいずれか一に記載の充電方法。
【請求項１０】
前記電池パックは、携帯端末装置に装着された電池パックであって、前記携帯端末装置を前記充電装置に近接させた状態で前記電池パックを充電することを特徴とする請求項６記載の充電方法。
【発明の詳細な説明】
【技術分野】
【０００１】
本発明は、充電装置及び充電方法に関し、特に携帯端末装置等の二次電池を充電する充電装置及び充電方法に関する。
【背景技術】
【０００２】
二次電池（充電池）は、多種多様に機器において幅広く使用され、充電池を充電する充電装置にも様々なものが存在する。例えば、特許文献１には、電気自動車のバッテリパックを充電する装置及び方法が開示されている。この装置は、バッテリパックを定電力充電した後、バッテリパックの電圧が第１電圧以上であれば定電流充電を行い、その後、バッテリパックの電圧ピーク値が第２電圧以上になるたびに順次に電流を小さくしながら定電流充電を行い、バッテリパックの電圧が第３電圧以上であれば第４電圧で定電圧充電を行った後、第５電圧以上であれば充電を終了するように制御するものである。
【０００３】
また、特許文献２には、定電流手段又は定電圧手段の損失が許容損失を越える場合、所望のパルス幅を有するパルス信号を生成するパルス幅変調手段と、許容損失を越える定電流手段又は定電圧手段をパルス信号に基づいて断続的に動作させる制御手段とを設けるようにしたことにより、定電流手段又は定電圧手段の損失を抑えて発熱を抑制し得、当該定電流手段及び定電圧手段の損傷を防止し得るような充電装置が開示されている。この装置は、ユーザが適合外の出力電圧及び出力電流を有する直流電源を使用した場合には、定電流回路や定電圧回路に定格値以上の入力電流や入力電圧が供給されることになり、これによって定格値以上の発熱が定電流回路及び定電圧回路に発生して当該定電流回路及び定電圧回路が損傷するといつた問題を防止し得るものである。
【０００４】
さらに、特許文献３には、バッテリーへの充電初期において、充放電制御回路による電力損失を少なくできる充電制御回路が開示されている。この回路は、出力端子接続の負荷に供給する直流電圧を出力端子とセンス端子に接続されたセンス抵抗器の抵抗値（センス抵抗値）によって制御される直流電源と、バッテリーの正端子と出力端子との間に接続され、直流電源から電力が供給されないときにはバッテリーから負荷に電力を供給させ、直流電源から電力が供給されていてしかもバッテリーが放電状態のときには直流電源からバッテリーに充電させる充放電制御回路と、バッテリーへの充電時において、充電初期には直流電源の出力電圧がバッテリーの端子電圧より一定電圧だけ高くなるように、充電終期には定電圧充電となるようにセンス抵抗を制御する充電電圧制御回路とを備えるものである。
【０００５】
【特許文献１】特開２００１−３７０９７号公報  （図１、図３）
【特許文献２】特開平１０−２２５００６号公報  （図２）
【特許文献３】特開平１１−２８９６８４号公報  （図１）
【発明の開示】
【発明が解決しようとする課題】
【０００６】
最近、携帯端末装置は、高速化、高機能化が進むにつれて、動作時の消費電流が増加してきている。また一方で、携帯端末装置に搭載されるリチウムイオン電池等の二次電池の密度も向上し、二次電池を収容した電池パックの容量も増加してきている。このため、大容量の電池パックの充電において、従来の定電流定電圧充電によって充電を行うと、長時間にわたってより多くの電流を流すために充電を制御している充電回路の発熱が増大する。
【０００７】
一般に携帯端末装置等の充電に用いる充電装置は、図９に示すように、充電中にも携帯端末装置３０が着信などに応答できるように電池パック３１を携帯端末装置３０に取りつけたまま、携帯端末装置３０を充電装置１０に近接させた状態で充電が行われる。したがって、充電装置１０の発する熱が携帯端末装置３０自体に直接的に伝わることとなり、充電装置１０の発熱が大きいと携帯端末装置３０に対して悪影響を与える可能性が無視できなくなってきている。
【０００８】
一方、発熱を抑えるために単に充電電流を少なくするのでは、満充電に至るまでに時間がかかってしまいサービス性の低下を招く。
【０００９】
このため、電池パックの充電中に充電装置の発熱を一定以下に保つように、充電装置における消費電力を一定以下に制御する技術が望まれる。しかしながら、特許文献１、２、３で示される従来の技術では、充電装置における消費電力を一定に保つことに関し、何らの開示がない。したがって、従来の充電装置は、充電装置と充電装置によって充電される電池パックを備える装置とを近接させた状態で充電を行う際に、充電装置の発熱による携帯端末装置への悪影響を防止することができない。
【００１０】
本発明の目的は、充電装置における過大な発熱を抑え、充電中の携帯端末装置に対して悪影響を与えないように安定して動作する充電装置及び充電方法を提供することにある。
【課題を解決するための手段】
【００１１】
前記目的を達成するために、本発明に係る充電装置は、第１のアスペクトによれば、電源部から供給される充電電流を二次電池に出力する充電回路と、充電回路を制御する充電制御回路と、を備える。また、充電制御回路は、充電回路における消費電力を一定値以下に保持するように制御する。
【００１２】
本発明に係る充電装置は、第２のアスペクトによれば、電源部から供給される充電電流を二次電池に出力する充電回路と、充電回路を制御する充電制御回路と、を備える。充電制御回路は、充電電流の電流値を検出する充電電流検出回路と、電源部から充電回路に供給される電圧と二次電池の電圧との電圧差を検出する充電電圧検出回路と、電流値と電圧差とから充電回路における消費電力を算出する電力算出回路と、消費電力と所定の値とを比較して比較結果から補正量を求め、補正量に基づき充電制御回路における充電回路の制御を行う充電電流制御回路と、を備える。
【００１３】
本発明において、好ましくは、充電電流制御回路は、消費電力を一定値以下に保持するように充電回路の制御を行ってもよい。
【００１４】
また、本発明において、好ましくは、所定の値をプログラマブルに設定する手段を備え、所定の値によって一定値がプログラマブルに設定されてもよい。
【００１５】
さらに、本発明において、好ましくは、二次電池は、携帯端末装置に装着した電池パックであって、携帯端末装置を近接させた状態で電池パックを充電するようにしてもよい。
【００１６】
本発明に係る充電方法は、第３のアスペクトによれば、充電装置が電池パックを充電する方法である。この方法は、電池パックの端子電圧が第１の閾値に満たない場合に、第１の電流値で定電流充電するステップと、電池パックの端子電圧が第１の閾値に達した場合に、充電装置における消費電力を一定値以下に保って充電するステップと、電池パックの端子電圧が第２の閾値に達した場合に定電圧充電するステップと、を含む。
【００１７】
本発明において、好ましくは、消費電力を一定値以下に保って充電するステップにおいて、充電電流が第３の閾値に達した場合に、第２の電流値で定電流充電するステップをさらに含んでもよい。
【００１８】
また、本発明において、好ましくは、消費電力を一定値以下に保って充電するステップは、充電装置における充電中の消費電力と所定の値とを比較して比較結果から補正量を求め、補正量に基づき充電電流を変更してもよい。
【発明の効果】
【００１９】
本発明によれば、充電装置における消費電力を一定に保って電池パックを充電するので、充電装置における過大な発熱を抑え、充電中の電池パックを装着した携帯端末装置に対して悪影響を与えないようにすることができる。
【００２０】
また、充電中に電池電圧が上がれば、充電回路での電圧降下が少なくなり、その分充電電流が増えるため、単に発熱の影響を抑えるために定電流充電の定電流値を下げた場合に比べて充電時間を短くすることができる。
【発明を実施するための最良の形態】
【００２１】
図１は、本発明の実施形態に係る充電装置の構成を示すブロック図である。図１において、充電装置は、電源部１から供給される充電電流Ｉを二次電池３に出力する充電回路２と、充電回路２を制御する充電制御回路４と、を備えている。
【００２２】
また、充電制御回路４は、充電電流Ｉの電流値を検出する充電電流検出回路５と、電源部１から充電回路２に供給される電圧と二次電池３の電圧との電圧差を検出する充電電圧検出回路６と、充電電流Ｉの電流値と前記電圧差とから充電回路２における消費電力を算出する電力算出回路７と、消費電力と所定の値とを比較して比較結果から補正量を求め、補正量に基づき充電回路２の制御を行う充電電流制御回路８と、を備えている。
【００２３】
以上のような構成の充電装置において、充電制御回路４は、補正量に基づき充電回路２の制御を行うことで充電回路２および充電電流検出回路５における消費電力を一定値以下に保持するように動作する。充電装置におけるほとんどの消費電力は、充電回路２および充電電流検出回路５、特に充電回路２において発生する。したがって、本発明の充電装置は、充電装置における消費電力を一定に保って二次電池３を充電するので、充電装置における過大な発熱を抑えることができる。
【実施例１】
【００２４】
さらに、より具体的な実施例に基づき充電装置の説明を行う。図２は、本発明の実施例に係る充電装置の回路ブロック図である。充電装置は、充電制御回路４ａと、ＡＣアダプタなどの電源部１ａと、整流用のダイオード２０と、コンデンサ１９と、充電電流及び充電電圧の制御用のＰチャネルＭＯＳＦＥＴ２１と、充電のオン・オフ制御を行うためのＰチャネルＭＯＳＦＥＴ２２と、充電電流を検出するための高精度抵抗２３と、を備え、携帯端末装置等に取り付けられた、リチウムイオン電池等の二次電池からなる電池パック２４を充電する装置である。なお、電源部１ａは、充電装置の外部装置として独立に存在してもよい。
【００２５】
電源部１ａから出力されるＡＣ電源は、ダイオード２０を介して整流され、コンデンサ１９に直流信号１０１（充電器電圧値Vchg）として蓄えられ、充電制御回路４ａと、ＰチャネルＭＯＳＦＥＴ２１の一端とに供給される。ＰチャネルＭＯＳＦＥＴ２１の他端とＰチャネルＭＯＳＦＥＴ２２の一端とが接続され、ＰチャネルＭＯＳＦＥＴ２２の他端と高精度抵抗２３の一端が接続され、高精度抵抗２３の他端が電池パック２４の正極の端子に接続され、電源部１ａから出力される充電電流がダイオード２０、ＰチャネルＭＯＳＦＥＴ２１、ＰチャネルＭＯＳＦＥＴ２２、高精度抵抗２３を介して電池パック２４に供給される。なお、電源部１ａが直流電源で構成される場合には、ダイオード２０とコンデンサ１９とは無くともかまわない。
【００２６】
一方、充電制御回路４ａは、高精度抵抗２３とＰチャネルＭＯＳＦＥＴ２２との接続点の信号１０３の電圧と、高精度抵抗２３と電池パック２４との接続点の信号１０４（電圧Vbatt）と、ダイオード２０とＰチャネルＭＯＳＦＥＴ２１との接続点の信号１０１（電圧Vchg）とを入力し、ＰチャネルＭＯＳＦＥＴ２１のゲート端子に信号１０２を出力して電池パック２４の充電を制御する。また、ＰチャネルＭＯＳＦＥＴ２２のゲート端子に信号１０９を与えてＰチャネルＭＯＳＦＥＴ２２をオン・オフする。
【００２７】
充電制御回路４ａは、充電回路のオン・オフを行う充電オン・オフ制御回路１１と、充電オン・オフ制御回路１１の出力に接続されてＰチャネルＭＯＳＦＥＴ２２を駆動するための論理反転回路１２と、高精度抵抗２３の両端の電位差を検出して充電電流を測定する充電電流モニタ回路１３と、高精度抵抗２３の両端の電位差が常に一定になるように、すなわち充電電流が一定になるように制御する充電電流制御回路１４と、電池電圧が一定値になるように制御する充電電圧制御回路１５と、電池パック２４の電圧をモニタする電池電圧モニタ回路１６と、充電電流値Ichgと充電器電圧値Vchgと電池電圧値VbattとからＰチャネルＭＯＳＦＥＴ２１、２２及び高精度抵抗２３で消費される電力を算出する電力損失算出回路１７と、算出される電力のデータから電力損失が一定になるように充電電流制御回路１４に対して制限をかける充電電流制限回路１８と、を備えている。
【００２８】
充電電流モニタ回路１３は、高精度抵抗２３の両端の電位差（信号１０３と信号１０４の電位差）を検出して充電電流を測定する。測定された充電電流値Ichgは、信号１０６として電力損失算出回路１７内のＡ／Ｄコンバータ１７２と充電オン・オフ制御回路１１に供給される。また、充電電流値Ichgが、所定の値（例えば、６００ｍＡ）を超えると信号１０５を電力損失算出回路１７と充電電流制御回路１４とに出力する。
【００２９】
充電電流制御回路１４は、信号１０３と信号１０４とを入力し、充電電流が定電流になるようＰチャネルＭＯＳＦＥＴ２１を制御するためにＰチャネルＭＯＳＦＥＴ２１のゲート端に信号１０２を出力する。また、信号１０５が入力された場合には、充電電流が固定の電流値（例えば、６００ｍＡ）となるように信号１０２を出力する。さらに、充電電流制限回路１８から信号１０８が入力される場合には、信号１０８における補正量に基づき先の定電流の値を補正するように補正した信号１０２を出力する。
【００３０】
充電電圧制御回路１５は、信号１０４を入力し、信号１０４における電圧Vbattが一定値（例えば４．２Ｖ）になるようＰチャネルＭＯＳＦＥＴ２１を制御するためにＰチャネルＭＯＳＦＥＴ２１のゲート端に信号１０２を出力する。なお、充電電流制御回路１４の出力信号と充電電圧制御回路１５の出力信号とは競合するが、より高い値（またはより低い値）であった信号が優先され、信号１０２として出力されるものとする。
【００３１】
電池電圧モニタ回路１６は、信号１０４を入力し、電圧Vbattに相当する値の信号１０７を電力損失算出回路１７と充電オン・オフ制御回路１１とに出力する。
【００３２】
充電オン・オフ制御回路１１は、信号１０１の値が例えば６Ｖを超えた場合（例えば電源部２に異常がある場合）あるいは３．８Ｖを下回った場合（例えば電源部１ａが取り外された場合）、充電電流が４０ｍＡを下回ったことを信号１０６の値が示す場合（充電完了の場合）、電圧Vbattが例えば５Ｖとなったことを信号１０７の値が示す場合（例えば電池パック７が異常の場合）、のいずれかの場合に信号１０９によってＰチャネルＭＯＳＦＥＴ２２をオフとして、充電電流を遮断する。
【００３３】
さらに、電力損失算出回路１７は、信号１０１と信号１０４を入力し、充電器電圧値Vchgと電池電圧値Vbattとの差分をとり、ＰチャネルＭＯＳＦＥＴ２１、２２と高精度抵抗６とでの電圧降下を算出する電圧差分回路１７１と、電圧差分回路１７１で算出された電圧降下（電圧差分値）、及び信号１０７（充電電流値Ichg）を入力してデジタルデータに変換するためのＡ／Ｄコンバータ１７２と、Ａ／Ｄ変換された電圧差分値と充電電流値Ichgとから電力損失データを算出する乗算回路１７３と、から構成される。
【００３４】
また、充電電流制限回路１８は、予め設定されたもしくはプログラマブルに設定された定電力の設定データを格納する定電力設定データ格納回路１８１と、電力損失算出回路１７から算出された電力損失データを入力して定電力設定データ格納回路１８１から出力されるデータと比較する電力比較回路１８２と、比較結果からどれだけの補正が必要であるかを算出して充電電流を制限する信号１０８を出力する補正量算出回路１８３と、から構成される。
【００３５】
なお、図６に示すように、電力損失算出回路１７と充電電流制限回路１８とが無くとも充電装置そのものを構成することは可能であり、この場合には、電池電圧が既定の電圧に達するまでは、定電流充電が行われることとなる。したがって電池電圧が低いときは、充電電流が一定であるのに対し、充電器の電圧と電池電圧の差分が大きいために電力損失が大きくなり、充電装置において発熱が生じやすくなる。
【００３６】
次に、本発明の充電装置の動作について説明する。図３は、本発明の実施例に係る充電装置の動作を表すフローチャート図である。図３において、充電開始から充電完了及び充電器の取り外しに関する動作フローを記載している。
【００３７】
まず、ＡＣアダプタなどの電源部１ａが接続され、ダイオード２０を介して充電制御回路４ａに電圧が与えられると、充電オン・オフ制御回路１１によってＰチャネルＭＯＳＦＥＴ２２をオンするとともに、電池電圧モニタ回路１６により電池電圧値をモニタする（ステップＡ１）。
【００３８】
このとき、電池電圧値Vbattがある一定以下であれば（例えば、３．０Ｖ）、電池パック２４の保護のため、この電圧以上になるまで充電電流を数十ｍＡレベルとしてトリクル充電を行う（ステップＡ２）。なお、トリクル充電とは、電池の自己放電を補うために、負荷から切り離した状態で絶えず微小電流で充電することをいう場合もあるが、ここでは小電流による連続充電のことを意味する。トリクル充電制御によって電池電圧が一定値を超えると、定電力充電に移行する（ステップＡ３）。なお、定電力充電における動作については、図４に示すフローチャートを用いて後述する。
【００３９】
この定電力充電は、電池電圧値Vbattがさらに上昇し、電池電圧値Vbattが定電圧充電の電圧（例えば、４．２Ｖ）に到達するまで行われる（ステップＡ４のNo）。電池電圧値Vbattが定電圧充電の電圧（例えば、４．２Ｖ）以上になると（ステップＡ４のYES）、定電力充電を解除し、定電圧充電に移行する（ステップＡ５）。定電圧充電において、充電電流は減少し、充電電流モニタ回路１３によって充電電流がある一定の電流値（例えば、４０ｍＡ）未満が検出されると（ステップＡ６のYES）、ＰチャネルＭＯＳＦＥＴ２２をオフにすることによって充電がオフし、完了状態になる（ステップＡ７）。一方、充電電流がある一定の電流値以上であれば（ステップＡ６のNO）、ステップＡ４に戻る。充電完了状態では、ステップＡ８において、携帯端末装置による電池の消費等で電池電圧がある一定以下（例えば、４Ｖ）になったことを検出すると、ステップＡ３に進み、再び充電制御が動作を始め、定電力充電を行う。
【００４０】
一方、ステップＡ１〜Ａ８において電源部１ａがはずされた場合、すなわち充電器電圧Vchgがある一定の電圧（例えば、３．８Ｖ）を下回ると（ステップＡ９のYES）、充電回路（ＰチャネルＭＯＳＦＥＴ２２）がオフし（ステップＡ１０）、電池動作となる。なお、充電器電圧Vchgがある一定の電圧以上であれば、ステップＡ１に戻る。
【００４１】
次に、ステップＡ３の定電力充電制御の動作説明に関して説明する。図４は、本発明の実施例に係る充電装置における定電力充電の動作を表すフローチャート図である。
【００４２】
定電力充電では、充電電流モニタ回路１３において充電電流値Ichgと、電池電圧モニタ回路１６において電池電圧値Vbattとをモニタしている（ステップＢ１、Ｂ２）。ステップＢ２において、電池電圧値Vbattが定電圧充電の電圧（４．２Ｖ）に達する（ステップＢ２のYES）と、定電力充電が終了する。
【００４３】
電池電圧値Vbattが定電圧充電の電圧に満たない場合（ステップＢ２のNO）、充電電流値Ichgが定電流充電の電流６００ｍＡ以上か否かを判定する（ステップＢ３）。６００ｍＡ以上であれば、６００ｍＡでの定電流充電を行い（ステップＢ９）、定電力充電を終了する。６００ｍＡ未満であれば、それぞれのモニタにおいて得られた充電電流値Ichg、及び電池電圧値Vbattと充電器電圧値Vchgとの差分値は、それぞれＡ／Ｄ変換され（ステップＢ４）、デジタルデータとなって充電回路の電力損失が算出される（ステップＢ５）。この算出データは、充電電流制限回路１８においてが予め設定された、もしくは、プログラマブルに設定された電力損失値と比較される（ステップＢ６）。比較に基いて、算出された電力損失になるように充電電流の補正を算出する（ステップＢ７）。充電電流制御回路１４は、充電電流を補正するようにＰチャネルＭＯＳＦＥＴ２１の制御を行い（ステップＢ８）、再びステップＢ１に戻る。
【００４４】
以上説明した動作を充電電流及び充電電圧の変化としてタイムチャートで表したものを図５に示す。図５では、トリクル充電の電流値は、４０ｍＡとし、充電電流の最大値は、６００ｍＡとしている。トリクル充電の後、定電力充電を行っているため、電池電圧が上がるにつれ、充電器の電圧との差分が小さくなり、その分充電電流が増加している。定電力充電における充電電流の曲線は、Ichg= P（一定）／（Vchg − Vbatt）の式で表される。ただし、Ichgは充電電流、Pは電力損失（一定）、Vchgは充電器電圧、Vbattは電池電圧である。
【００４５】
また、図５において、電池電圧値がある一定の電圧になると、定電流充電（電流値６００ｍＡ）になることが示される。これは、一定電力の値が高く設定される場合、定電圧充電（電圧値４．２Ｖ）に達する前に、充電電流の最大値（電流値６００ｍＡ）に達することにより生じる。
【００４６】
さらに、電池電圧値が４．２Ｖに達すると定電圧充電が行われ、充電電流は減少する。充電電流が４０ｍＡに達すると充電電流が流れなくなり、充電が完了する。
【００４７】
また、図６に示すような定電力充電のない充電装置の場合における充電のタイムチャートを図７に示す。この場合、電池電圧の低いところでは、充電電流も最大の定電流（電流値６００ｍＡ）で流れるために、充電が完了するまでの充電時間は短くなるが、充電器電圧と電池電圧との差分が大きいために発熱が大きくなってしまう。
【００４８】
定電力充電のある場合（図２）とない場合（図６）との充電回路の発熱量を図８に示す。図８に示すように、電源部の供給電圧を一定にして電池電圧をパラメータとしたときの発熱量を算出したものである。図６に示すような定電力充電のない充電装置の場合では、電池電圧の低いときに大きな発熱量が生じるのに対し、電力損失を電池電圧に依存せず、一定にする本発明の装置では、発熱量のピークを低く抑えることができる。
【００４９】
したがって、発熱量のピークを低く抑えて電池パックを充電することができ、充電装置と充電装置によって充電される電池パックを備える装置とを近接させた状態で充電を行う際に、携帯端末装置に対して悪影響を与えないようにすることができる。
【図面の簡単な説明】
【００５０】
【図１】本発明の実施形態に係る充電装置の構成を示すブロック図である。
【図２】本発明の実施例に係る充電装置の回路ブロック図である。
【図３】本発明の実施例に係る充電装置の動作を表すフローチャート図である。
【図４】本発明の実施例に係る充電装置における定電力充電の動作を表すフローチャート図である。
【図５】充電電流及び充電電圧の変化を表す図である。
【図６】定電力充電のない充電装置の回路ブロック図である。
【図７】定電力充電のない充電装置の場合における充電電流及び充電電圧の変化を表す図である。
【図８】定電力充電のある場合とない場合との充電回路の発熱量を表す図である。
【図９】充電装置による携帯端末装置等の充電の形態を表す図である。
【符号の説明】
【００５１】
１、１ａ  電源部
２  充電回路
３  二次電池
４、４ａ  充電制御回路
５、１４  充電電流検出回路
６  充電電圧検出回路
７  電力算出回路
８  充電電流制御回路
１０  充電装置
１１  充電オン・オフ制御回路
１２  論理反転回路
１３  充電電流モニタ回路
１４、１４ａ  充電電流制御回路
１５  充電電圧制御回路
１６  電池電圧モニタ回路
１７  電力損失算出回路
１８  充電電流制限回路
１９  コンデンサ
２０  ダイオード
２１、２２  ＰチャネルＭＯＳＦＥＴ
２３  高精度抵抗
２４  電池パック
３０  携帯端末装置
１０１、１０２、１０３、１０４、１０５、１０６、１０７、１０８、１０９  信号
１７１  電圧差分回路
１７２  Ａ／Ｄコンバータ
１７３  乗算回路
１８１  定電力設定データ格納回路
１８２  電力比較回路
１８３  補正量算出回路
【図１】
2005278302.tif 000003
【図２】
2005278302.tif 000004
【図３】
2005278302.tif 000005
【図４】
2005278302.tif 000006
【図５】
2005278302.tif 000007
【図６】
2005278302.tif 000008
【図７】
2005278302.tif 000009
【図８】
2005278302.tif 000010
【図９】
2005278302.tif 000011